(57)【要約】【課題】消火設備のメンテナンスを確実に行う。【解決手段】消火設備制御盤１０に、メンテナンス完了時に消火設備４０から出力される移報信号を検出する制御部１３と、所定時間の経過を制御部１３に通知するタイマー１４と、タイマー１４に設定された所定時間内に制御部１３が移報信号を検出しなかった場合に警報を発する警報部と、警報部から発せられる警報を停止する警報停止部とを備え、警報停止部は、パスワードの入力に使用されるパスワード入力部２２を備え、パスワード入力部２２から所定のパスワードが入力されると、制御部１３は、警報部に向けて警報の停止を指示するリセット信号を送出し、警報部は、リセット信号を検出すると、警報を停止する。【選択図】図１
2018023485.tif 000002
【特許請求の範囲】
【請求項１】
消火設備を制御する消火設備制御盤であって、
メンテナンス完了時に前記消火設備から出力される移報信号を検出する制御部と、
所定時間の経過を前記制御部に通知するタイマーと、
前記タイマーに設定された所定時間内に前記制御部が前記移報信号を検出しなかった場合に警報を発する警報部と、
前記警報部から発せられる警報を停止する警報停止部とを備え、
前記警報停止部は、パスワードの入力に使用されるパスワード入力部を備え、前記パスワード入力部から所定のパスワードが入力されると、前記制御部は、前記警報部に向けて警報の停止を指示するリセット信号を送出し、
前記警報部は、前記リセット信号を検出すると、前記警報を停止する
消火設備制御盤。
【発明の詳細な説明】
【技術分野】
【０００１】
本発明は、消火設備を制御する制御盤に関する。
【背景技術】
【０００２】
スプリンクラー設備、泡消火設備、不活性ガス消火設備等の消火設備については、消防法により定期点検（メンテナンス）が義務付けられている。そこで、ブザーを鳴らしたり表示灯を点灯又は点滅させたりして警報を発することにより、メンテナンス時期の到来を知らせるシステムが提案されている（例えば、特許文献１参照）。
【先行技術文献】
【特許文献】
【０００３】
【特許文献１】特開２００３−３１０７８７号公報
【発明の概要】
【発明が解決しようとする課題】
【０００４】
しかし、上記システムが警報を発しても、ブザーや表示灯による警報は、通常は一定時間の経過によってオフになる。また、警報をオフにするために何らかの操作が必要となる場合であっても、その操作は誰にでも行うことができる。したがって、管理者が警報に気づかなかったり、警報が鳴ったことを忘れてしまったりすると、メンテナンスが行われないままの状態がその後も続くことになる。そのような状態が放置されると、消防法で定められたルールを遵守できないばかりでなく、火災の発生時に消火設備が所望の動作を行わないことがありうる。
【０００５】
本発明は、このような問題にかんがみなされたもので、消火設備のメンテナンスを確実に行うことを目的とする。
【課題を解決するための手段】
【０００６】
上記課題を解決するための本発明は、消火設備を制御する消火設備制御盤であって、メンテナンス完了時に前記消火設備から出力される移報信号を検出する制御部と、所定時間の経過を前記制御部に通知するタイマーと、前記タイマーに設定された所定時間内に前記制御部が前記移報信号を検出しなかった場合に警報を発する警報部と、前記警報部から発せられる警報を停止する警報停止部とを備え、前記警報停止部は、パスワードの入力に使用されるパスワード入力部を備え、前記パスワード入力部から所定のパスワードが入力されると、前記制御部は、前記警報部に向けて警報の停止を指示するリセット信号を送出し、前記警報部は、前記リセット信号を検出すると、前記警報を停止する。
【発明の効果】
【０００７】
本発明は、適正なパスワードの入力を警報停止のための条件としたため、警報を停止できる者は、パスワードを知っている者のみに限られる。また、適正なパスワードを入力しない限り、警報が停止することはない。したがって、管理者が警報に気づかぬうちに警報がオフになることはなく、消火設備のメンテナンスが確実に行われるようになる。
【図面の簡単な説明】
【０００８】
【図１】消火設備制御盤の構成例を示すブロック図である。
【図２】消火設備制御盤の動作を示すフローチャートである。
【発明を実施するための形態】
【０００９】
図１に示す消火設備制御盤１０は、消火設備４０を制御するユニットであり、電源入力端子台３０を備え、ここに外部から電源が供給された状態で電源スイッチ１１がオンになることにより、消火設備制御盤１０が動作可能となる。電源スイッチ１１がオンになっている間は、電源灯１２が点灯する。
【００１０】
消火設備制御盤１０の内部には、消火設備制御盤１０の動作を制御する制御部１３を備えている。制御部１３には、少なくともＣＰＵとメモリとを備えている。制御部１３には、所定時間の経過をカウントして制御部１３に通知するタイマー１４が接続されている。
【００１１】
消火設備制御盤１０には、消火設備４０からの移報出力を入力する入力端子を複数備えた入力端子台１５を備えている。図１の例では、入力端子台１５には４つの入力端子を備え、各入力１〜４は、各消火設備の移報出力のａ接点と接続されている。入力１〜４のうちどれを使用しどれを未使用とするかは、ＤＩＰスイッチ１６において設定することができる。
【００１２】
制御部１３には、移報出力を所定時間検出しない場合に警報音を発するブザー１７と、移報出力を所定時間検出しない場合に点滅するＬＥＤ１８とが接続されている。ブザー１７とＬＥＤ１８とで、警報部を構成している。なお、警報部は、少なくともブザー１７又はＬＥＤ１８のいずれかを備えていればよい。
【００１３】
消火設備制御盤１０には、ブザー１７の警報音が鳴るか否かの確認時に操作する動作確認スイッチ１９と、動作確認スイッチ１９をオンにすると点滅する動作確認灯２０と、ブザー１７及びＬＥＤ１８による警報を一時的に停止する音／移報停止スイッチ２１と、ブザー１７からの警報音及びＬＥＤ１８の動作を止めるためのパスワードの入力に用いるパスワード入力部２２とを備えている。パスワード入力部２２は、複数のパスワードスイッチを備えている。音／移報停止スイッチ２１とパスワード入力部２２とで、警報部から発せられる警報を停止する警報停止部を構成している。
【００１４】
パスワード入力部２２の近傍には、パスワードの入力前にオンにするパスワード入力スイッチ２３が設けられている。また、パスワード入力スイッチ２３の近傍には、パスワード入力スイッチ２３からの入力内容に応じて状態が変化するパスワード灯２４が設けられている。パスワード灯２４は、パスワード入力スイッチ２３をオンにすると所定時間点滅し、入力されたパスワードが正しければ所定時間点灯し、入力されたパスワードが誤りであれば消灯する。
【００１５】
消火設備制御盤１０には、所定期間メンテナンスが行われず移報出力の接点入力がないと点灯するＭＮ灯２５と、消火設備制御盤１０の内部の回路に断線が生じた際に点灯する断線灯２６と、消火設備制御盤１０の寿命による交換時期を知らせる交換灯２７とを備えている。ＭＮ灯２５は、ブザー１７の警報音が停止しているときは、点滅する。
【００１６】
消火設備制御盤１０には、外部機器との通信を行うポートとなる通信用コネクタ端子２８を備えている。この通信用コネクタ端子２８には、インタフェース５０を介してパソコン５１に接続されている。インタフェース５０としては、例えばＲＳ−２３２Ｃを使用することができる。
【００１７】
次に、消火設備制御盤１０の動作について、図２に示すフローチャートを参照して説明する。
【００１８】
図１に示した電源スイッチ１１をオンにすると、電源灯１２が点灯する。そして、断線があるか否かの確認を行う。断線があった場合は断線灯２６を点灯させ、故障である旨を報知する。また、断線がない場合は、作業者が動作確認スイッチ１９を押すことにより、ブザー１７を鳴らしたり、ＬＥＤ１８を点滅させたりして、各部位の動作確認を行う。
【００１９】
次に、制御部１３による制御の下で、タイマー１４が初期設定される（ステップＳ１）。タイマー１４には、入力端子台１５の入力端子ごとに、それぞれ所定の時間が設定される。この所定の時間は、制御部１３が移報信号を検出する際の待ち時間であり、この待ち時間内に制御部１３が移報信号を検出せず、制御部１３からタイマー１４に対してリセット信号が送出されないと、タイマー１４から制御部１３に対してタイムアウト信号が通知される。この待ち時間としては、例えば１年が設定される。
【００２０】
ステップＳ１によってタイマー１４が初期設定されると、タイマー１４が動作を開始する。そして、制御部１３は、タイマー１４に設定された所定時間内に入力端子台１５のいずれかの入力端子から移報出力があるか否かの判断を行う（ステップＳ２）。この移報出力は、消火設備４０のメンテナンスが終了したことを知らせる信号である。制御部１３が移報出力を検出すると、制御部１３は、タイマー１４をリセットし、設定した待ち時間を最初からカウントする（ステップＳ３）。
【００２１】
一方、移報出力が検出されなかった場合は、制御部１３は、タイマー１４に設定された所定時間が経過したか否かの判断を行う（ステップＳ４）。そして、所定時間が経過していない場合は、ステップＳ２に戻る。一方、所定時間が経過した場合は、制御部１３は、警報出力を行う。この警報出力は、ブザー１７からの警報音の出力、ＬＥＤ１８における点滅表示によって行う（ステップＳ５）。また、制御部１３は、ＭＮ灯２５も点灯させる。
【００２２】
次に、制御部１３は、警報を停止するための音／移報停止スイッチ２１が押されたか否かをチェックする（ステップＳ６）。そして、音／移報停止スイッチ２１が押されていない場合は、ステップＳ５に戻って警報出力を続ける。一方、音／移報停止スイッチ２１が押された場合は、パスワード入力スイッチ２３が押されたか否かをチェックし、パスワード入力スイッチ２３が押された場合は、パスワード入力部２２からパスワードの入力があったか否かをチェックする（ステップＳ７）。この入力のチェックは、所定時間（例えば１分）行うこととし、当該所定時間内にパスワードの入力がない場合は、ステップＳ５に戻って警報出力を続ける。
【００２３】
ステップＳ７において、パスワードの入力があった場合は、パスワードが適正か否かを制御部１３が判断する（ステップＳ８）。なお、適正なパスワードは、あらかじめ制御部１３が記憶している。
【００２４】
入力されたパスワードが適正でない場合は、パスワード灯２４を消灯状態とし、ステップＳ５に戻って警報出力を続ける。一方、パスワードが適正である場合は、制御部１３は、警報部を構成するブザー１７及びＬＥＤ１８に対して警報の停止を指示するリセット信号を送出する。ブザー１７及びＬＥＤ１８は、リセット信号を検出すると、自身の動作を停止し、警報出力をオフにする（ステップＳ９）。また、これと同時に、パスワード灯２４を所定時間点灯させ、適正なパスワード入力があった旨の表示を行う。
【００２５】
このように、制御部１３は、警報部からの警報の最中に音／移報停止スイッチ２１が押されるとともにパスワード入力スイッチ２３が押され、パスワード入力部２２からパスワードの入力があると、そのパスワードが適正なものかどうかをチェックし、パスワードが適正であった場合に限り、警報を停止する。したがって、パスワードを知っている者のみが警報を止めることができ、管理者が警報に気づかぬうちに警報がオフになることはなく、消火設備のメンテナンスが確実に行われるようになる。
【００２６】
上記のようにして制御部１３において行われた処理の内容は、通信用コネクタ端子２８及びインタフェース５０を介してＰＣ５１に送られ、ログとして記録される。
【符号の説明】
【００２７】
１０：消火設備制御盤
１１：電源スイッチ  １２：電源灯  １３：制御部  １４：タイマー
１５：入力端子台  １６：ＤＩＰスイッチ  １７：ブザー  １８：ＬＥＤ
１９：動作確認スイッチ  ２０：動作確認灯  ２１：音／移報停止スイッチ
２２：パスワード入力部  ２３：パスワード入力スイッチ  ２４：パスワード灯
２５：ＭＮ灯  ２６：断線灯  ２７：交換灯  ２８：通信用コネクタ端子
３０：電源入力端子台  ４０：消火設備
５０：インタフェース  ５１：パソコン
【図１】
2018023485.tif 000003
【図２】
2018023485.tif 000004